(57)【特許請求の範囲】
【請求項１】
発着信に必要な情報が登録されているＩＣカードを複数装着可能な装着部と、
この装着部に対する前記ＩＣカードの着脱を検出するＩＣカード着脱検出手段と、
前記ＩＣカード着脱検出手段によって前記装着部に挿入されていることが検出されたＩＣカードに対し、電源とクロックの供給を開始する活性化及び電源の供給を停止する不活性化の一方の状態に設定するＩＣカード活性化手段と、
を具備することを特徴とする携帯端末。
【請求項２】
前記ＩＣカード活性化手段は、時刻に応じて前記ＩＣカードを活性化の状態又は不活性化の状態に設定することを特徴とする請求項１記載の携帯端末。
【請求項３】
前記ＩＣカード活性化手段は、受信した信号に含まれる国コードと前記ＩＣカードに登録されている国コードとを比較して前記ＩＣカードを活性化の状態又は不活性化の状態に設定することを特徴とする請求項１記載の携帯端末。
【請求項４】
前記ＩＣカード活性化手段は、集計されたＩＣカード毎の累積使用時間に応じて、前記ＩＣカードを活性化状態又は不活性化の状態に設定することを特徴とする請求項１記載の携帯端末。
【請求項５】
発着信に必要な発着信情報が登録されているＩＣカードを複数装着可能な装着部と、
この装着部に対する前記ＩＣカードの着脱を検出するＩＣカード着脱検出手段と、
前記発着信情報を利用し発信着信を実行する発着信制御手段と、
ある設定条件で前記ＩＣカードへのアクセス可能及びアクセス禁止を設定し、アクセス可能のＩＣカードからの発着信情報を利用して発着信を実行させるＩＣカード選択手段と、
を具備することを特徴とする携帯端末。
【請求項６】
前記アクセスＩＣカード選択手段は、前記設定条件としての時刻に応じて前記ＩＣカードを設定することを特徴とする請求項５記載の携帯端末。
【請求項７】
前記アクセスＩＣカード選択手段は、受信した信号に含まれる前記設定条件としての国コードと前記ＩＣカードに登録されている国コードとを比較して前記ＩＣカードを設定することを特徴とする請求項５記載の携帯端末。
【請求項８】
前記ＩＣカード選択手段は、前記設定条件としての集計されたＩＣカード毎の累積使用時間に応じて、前記ＩＣカードを設定することを特徴とする請求項５記載の携帯端末。
【請求項９】
前記アクセスＩＣカード選択手段は、前記アクセス可能が設定されたＩＣカードに電源とクロックの供給してこのＩＣカードを活性化し、前記アクセス禁止が設定されたカードへの電源とクロックの供給を停止してこのＩＣカードを不活性化することを特徴とする請求項５記載の携帯端末。
【発明の詳細な説明】
【０００１】
【発明の属する技術分野】
この発明は、ＩＣカード対応型の携帯端末に係り、特に、ＩＣカードを挿入して使用する携帯端末において、複数のＩＣカードが挿入された場合の携帯端末の制御方式に関するものである。
【０００２】
【従来の技術】
ヨーロッパで規格化されたＧＳＭ（Ｇｌｏｂａｌ  ｓｙｓｔｅｍ  ｆｏｒ  ｍｏｂｉｌｅ  ｃｏｍｍｕｎｉｃａｔｉｏｎ）では、ＳＩＭ（Ｓｕｂｓｃｒｉｂｅｒ  Ｉｄｅｎｔｉｔｙ  Ｍｏｄｕｌｅ）カードと呼ばれるＩＣカード（以下、単にＳＩＭカードと称する。）が必須となっている。このＳＩＭカードには、発着信に必要な認証アルゴリズムや電話番号等の情報が含まれており、このカードをＧＳＭ規格の携帯端末に挿入することで携帯端末は、本来の電話の機能である発着信が可能となる。つまりこのカードが挿入されていない状態では、携帯端末からの発信や着信が出来ない規格となっている。この考えは、次世代携帯電話と呼ばれているＩＭＴ−２０００の規格でも引き継がれ、ＵＳＩＭ（Ｕｓｅｒ  Ｓｕｂｓｃｒｉｂｅｒ  Ｉｄｅｎｔｉｔｙ  Ｍｏｄｕｌｅ）カードとして標準化が進められている。
【０００３】
ＵＳＩＭカードの中には、ＩＭＴ−２０００の規格に定められるようにＭＦ  （Ｍａｓｔｅｒ  Ｆｉｌｅ）、ＤＦ  （Ｄｅｄｉｃａｔｅｄ  Ｆｉｌｅ）、ＡＤＦ  （Ａｐｐｌｉｃａｔｉｏｎ  Ｄｅｄｉｃａｔｅｄ  Ｆｉｌｅ）、ＥＦ  （Ｅｌｅｍｅｎｔａｒｙ  Ｆｉｌｅ）が含まれており、ＧＳＭのＳＩＭカードと同様に発着信に必要な認証アルゴリズムや電話番号に関する情報、更にＵＳＩＭカードになって初めてサポートされる電話帳などの種々の情報がＦｉｌｅと言う形で含まれている。各ＵＳＩＭカードの電話番号に関する情報は、ＥＦ＿ＩＭＳＩの中に含まれており、この情報はネットワーク側に通知される。
【０００４】
【発明が解決しようとする課題】
上述したようにＥＦ＿ＩＭＳＩは、電話番号に関する情報を含むが、この情報は、国際番号＋キャリア番号＋シリアル番号からなっている。この国番号とキャリア番号は、ＵＳＩＭカードを契約したある国のあるキャリア番号を示している。ＵＳＩＭカードを挿入して使用する携帯端末の電話番号は、そのＥＦ＿ＩＭＳＩに対応している。つまり、ＥＦ＿ＩＭＳＩの国番号が（８１）の場合、そのＵＳＩＭカードを挿入して使用する携帯端末の電話番号は、国番号（８１）＋電話番号となる。日本で契約したＵＳＩＭカードを挿入した携帯端末Ａ（ＵＳＩＭ−Ａカードの中に電話番号＜８１＋０９０−０１２３−４５６７＞を含む）と携帯端末Ｂ（ＵＳＩＭ−Ｂカードの中に電話番号＜８１＋０９０−８９０１−２３４５＞を含む。）を韓国に持ち出し、お互いに韓国で通話する場合、同じ韓国に滞在していることが分かっていても、端末Ａから端末Ｂに発呼を行う場合には、国番号＋携帯端末Ｂの電話番号（８１＋０９０−８９０１−２３４５）でダイヤルして発呼する必要がある。この場合、ＵＳＩＭ−Ｂカードの契約国である日本のホームロケーションレジスタに最初にアクセスし、次に、このホームロケーションレジスタから国際ローミングにより端末Ｂに繋がると言う処理になり、国際電話料金を必ず負担する必要がある。このように通話料金は、発信者と着信者の位置関係だけで決定されるのではなく、それに加え発信者と着信者が所有するＵＳＩＭカードの国番号（つまり、電話番号）にも依存するため、場合によっては国番号が異なるＵＳＩＭカードを複数挿入して使用した方が都合の良い場合がある。
【０００５】
【課題を解決するための手段】
この発明は、上述したような事情に鑑みなされたものであって、その目的は、複数枚のＩＣカードを装着可能な携帯端末であって装着されたＩＣカードの１つを適切に制御可能なＩＣカード対応型の携帯端末を提供するにある。
【０００８】
この発明によれば、
発着信に必要な情報が登録されているＩＣカードを複数装着可能な装着部と、
この装着部に対する前記ＩＣカードの着脱を検出するＩＣカード着脱検出手段と、
前記ＩＣカード着脱検出手段によって前記装着部に挿入されていることが検出されたＩＣカードに対し、電源とクロックの供給を開始する活性化及び電源とクロックの供給を停止する不活性化の一方の状態に設定するＩＣカード活性化手段と、
を具備することを特徴とする携帯端末が提供される。
【０００９】
このような携帯端末では、位置登録／発信処理／着信処理をする際に使用するＩＣカードが適切に選択されて活性化される。
【００１０】
また、この発明によれば、
発着信に必要な発着信情報が登録されているＩＣカードを複数装着可能な装着部と、
この装着部に対する前記ＩＣカードの着脱を検出するＩＣカード着脱検出手段と、
前記発着信情報を利用し発信着信を実行する発着信制御手段と、
ある設定条件で前記ＩＣカードへのアクセス可能及びアクセス禁止を設定し、アクセス可能のＩＣカードからの発着信情報を利用して発着信を実行させるＩＣカード選択手段と、
を具備することを特徴とする携帯端末が提供される。
【００１１】
このような携帯端末においては、ＩＣカードの活性化／位置登録／発着信処理におけるＩＣカードが選択的にアクセスされる。即ち、アクセス対象のＵＳＩＭカードが携帯端末内の機能ブロックで認識され、各々のＵＳＩＭカードへ任意のタイミングで個別にアクセスすることで、複数枚のＵＳＩＭカードの使い分けをすることができる。より具体的には、時刻／累積使用時間／基地局から報知されている情報に含まれる国番号を用いて、使用するＩＣカードが切替えられる。
【００１２】
【発明の実施の形態】
以下図面を参照して、この発明の一実施の形態に係るＩＣカード対応携帯端末制御方式について説明する。
【００１３】
図２及び図３は、この発明の一実施の形態に係るＵＳＩＭカード１００の脱着が可能な携帯端末１０の機能ブロック図を示している。図２及び図３に示すようにＩＭＴ−２０００の規格では、発着信情報を含む各種情報が格納された携帯端末１０用のＩＣカードは、ＵＳＩＭカード１００と呼ばれている。このＵＳＩＭカードに含まれるＥＦ＿ＩＭＳＩには、ＵＳＩＭカードの電話番号を登録した国番号が含まれている。
【００１４】
ＵＳＩＭカード１００を制御する携帯端末１０は、任意の国で契約したＵＳＩＭカード、例えば、後に説明されるように日本及び韓国で契約したＵＳＩＭ−１カード１００−１及びＵＳＩＭ−２カード１００−２を装着及び脱着可能なソケット（＃１）及びソケット（＃２）２０−１、２０−２を備えている。このソケット（＃１）及びソケット（＃２）２０−１、２０−２には、ＵＳＩＭカード１００を制御する為のＵＳＩＭコントローラ（単に、ＵＳＩＭ−Ｃ（ＵＳＩＭ  Ｃｏｎｔｒｏｌｌｅｒ）と称する。）１０１が接続されている。このＵＳＩＭ−Ｃ１０１は、ソケット（＃１）及びソケット（＃２）２０−１、２０−２へのＵＳＩＭ−１カード１００−１及びＵＳＩＭ−２カード１００−２の装着を検出する検出器２２−１、２２−２からの検出信号に応答してＵＳＩＭ−１カード１００−１、ＵＳＩＭ−２カード１００−２の着脱を検出するＩＣカード着脱検出部１０１−Ａを含んでいる。また、ＵＳＩＭ−Ｃ１０１は、ＵＳＩＭ−１カード１００−１及びＵＳＩＭ−２カード１００−２の一方を有効（アクティブ）或いは非活性（ディアクティブ）にするＩＣカード活性化部１０１−Ｂ及び活性化する或いはアクセスするＩＣカードを選択するＩＣカード選択部１０１−Ｃを含んでいる。これらＩＣカード着脱検出部１０１−Ａ及びＩＣカード活性化部１０１−Ｂは、ＵＳＩＭ−１カード１００−１、ＵＳＩＭ−２カード１００−２を挿入するソケットを管理し、ＵＳＩＭカード１００を初期化する機能を有する。更に、ソケット（＃１）及びソケット（＃２）２０−１、２０−２には、これに装着されたＵＳＩＭカード１００−１、１００−２をドライブするＩＣカードコントローラ２４−１、２４−２が設けられ、このＩＣカードコントローラ２４−１、２４−２は、検出器２２−１、２２−２及びＩＣカード活性化部１０１−Ｂに接続されている。
【００１５】
また、携帯端末１０は、ネットワーク側とやり取りするのに必要な情報をＵＳＩＭカード１００−１、１００−２内の情報を読み書きする無線制御部１０２を備え、この無線制御部１０２は、その携帯端末１０が所在する場所、例えば、日本或いは韓国等の位置に関する情報を取得する為の位置登録情報取得部１０２−Ａ、取得した位置を登録する為の制御を実行する位置登録制御部１０２−Ｂ、発着信に関与するＩＣカードを検出する発着信ＩＣカード検出部１０２−Ｃ、発着信に関する情報を取得する発着信情報取得部１０２−Ｄ及び発着信を制御する発着信制御部１０２−Ｅから構成されている。
【００１６】
携帯端末１０は、携帯端末１０のハードウェアを制御するハードウェア制御部（以下、単にＨＷＣと称する。）１０３及び無線部であるＲＦ１０４を具備し、ＲＦ１０４で受信したデータは、ＨＷＣ１０３に読み込まれ、各部に供給される。また、ＲＦ１０４で受信した位置情報は、位置登録情報取得部１０２−Ａに与えられ、また、ＲＦ１０４で受信した発着信情報は、発着信情報取得部１０２−Ｄに与えられる。ＨＷＣ１０３の制御下で位置登録制御部１０２−Ｂが位置登録情報取得部１０２−Ａを制御し、発着信制御部１０２−Ｅが発着信ＩＣカード検出部１０２−Ｃ及び発着信情報取得部１０２−Ｄを制御し、また、このＨＷＣ１０３は、ＲＦ１０４及びＩＣカード選択部１０１−Ｃを制御している。
【００１７】
図４には、図２及び図３に示した各機能ブロックで実行されるシーケンスの一例が示されている。この図４を参照してこの発明の一実施の形態に係る携帯端末における動作例を説明する。図４には、２つのソケット（＃１）２０−１及びソケット（＃２）２０−２の一方にＵＳＩＭ−１カード１００−１が装着された場合のシーケンスが示されている。
【００１８】
ＵＳＩＭ−１カード１００−１用のソケット（＃１）にＵＳＩＭ−１カード１００−１が装着された後（処理Ｓ１）、携帯端末の電源が投入されると（処理Ｓ２）、ＩＣカード着脱検出部１０１−Ａは、ＩＣカードコントローラのＩＣカード着脱ステータスレジスタを参照することで、どのソケットにＵＳＩＭカードが挿入されているかを判別する（処理Ｓ３）。仮にソケット番号１のソケットにＵＳＩＭカード（このシーケンス例の場合は、ＵＳＩＭ−１カードが挿入済み）が挿入されていることが判別されると、ＩＣカード着脱検出部１０１−Ａは、ＵＳＩＭカードが挿入されているソケット番号をＩＣカード活性化部１０１−Ｂに通知する（処理Ｓ４）。ＩＣカード活性化部１０１−Ｂは、ＩＣカード着脱検出部１０１−Ａからソケット番号１にＵＳＩＭ−１カード１００−１が挿入された通知を受け取ると、ソケット番号１に挿入されたＵＳＩＭ−１カード１００−１を活性化する（処理Ｓ５）。即ち、ＵＳＩＭ−１カード１００−１がアクティブにされる。具体的には、ソケット番号１に挿入されたＵＳＩＭ−１カード１００−１に対する電源の供給が開始され、また、クロックの供給が開始されるとともにリセット信号が規定時間の間だけあるレベルに保持される等の動作が実行される。この活性化動作でＵＳＩＭ−１カード１００−１は、活性化され、ＡＴＲ（Ａｎｓｗｅｒ  ｔｏ  Ｒｅｓｅｔ）と言うカード内の物理的パラメータがＩＣカード活性化部１０１−Ｂに送信される（処理Ｓ６）。このＡＴＲが返送されることで、ＩＣカード活性化部１０１−Ｂは、カードの活性化が完了されたと認識することができる。ＩＣカード活性化部１０１−Ｂは、位置登録情報取得部１０２−Ａにソケット番号（＃１）のＵＳＩＭ−１カード１００−１の活性化が完了したことを通知する（処理Ｓ７）。位置登録情報取得部１０２−Ａは、活性化完了とそのソケット番号の通知を受信すると、通知を受けたソケット番号（１）のＵＳＩＭ−１カード１００−１から位置登録に必要な情報を読出すこととなる（処理Ｓ８）。ＵＳＩＭ−１カード１００−１から位置登録に必要な情報が読み出されると（処理Ｓ９）、読み出された情報が位置登録制御部１０２−Ｂに通知される（処理Ｓ１０）。位置登録制御部１０２−Ｂは、受信した位置登録情報を用いてネットワーク側との間で位置登録の処理を実行する（処理Ｓ１１）。これにより、ソケット１に挿入されているＵＳＩＭ−１カード１００−１による位置登録が完了し、ＵＳＩＭ−１カードによる発着信可能な状態になる。
【００１９】
図５及び図６は、携帯端末の電源投入時に複数のＵＳＩＭ−１カード１００−１及びＵＳＩＭ−２カード１００−２が挿入されている場合のシーケンスを示している。図５では、ＵＳＩＭ−１カード１００−１に対する処理及びＵＳＩＭ−２カード１００−２に対する処理が交互に繰り返されて位置登録処理が実行されるシーケンスが示されている。これに対して、図６には、ＵＳＩＭ−１カード１００−１及びＵＳＩＭ−２カード１００−２が挿入されたことが検出された後は、ＵＳＩＭ−１カード１００−１に対する活性化処理から位置登録処理までがなされ、その後、ＵＳＩＭ−２カード１００−２の活性化処理から位置登録処理がなされるシーケンスが示されている。２つのＵＳＩＭ−１カード１００−１及びＵＳＩＭ−２カード１００−２が挿入され例では、いずれのシーケンスが採用されても良い。
【００２０】
尚、図５及び図６では、図４で示した処理Ｓ１〜Ｓ１１にＵＳＩＭ−１カード１００−１についての処理は、”Ｓｎ−１”とサフィックス（−１）をふし、また、ＵＳＩＭ−２カード１００−２についての処理は、”Ｓｎ−２”とサフィックス（−２）を付してその説明を省略する。以下の図面を参照する説明においても同様にＵＳＩＭ−１カード１００−１についての処理は、”Ｓｎ−１”とサフィックス（−１）を付し、ＵＳＩＭ−２カード１００−２についての処理は、”Ｓｎ−２”とサフィックス（−２）を付してその説明を省略する。
【００２１】
図７は、携帯端末１０の電源が投入される時には、１つのＵＳＩＭカード１００が挿入されているが、後に新たにＵＳＩＭカードを追加するためにＵＳＩＭカードが挿入される場合のシーケンスが示されている。この図７に示されるシーケンスにおいても、ＩＣカード着脱検出部１０１−Ａは、割り込み処理によるＩＣカード着脱ステータスレジスタを参照することで、ＵＳＩＭ−２カード１００−２が新たに挿入されたことを検出し、その後、図４に示すシーケンスと同様に通常の動作手順でＵＳＩＭ−２カード１００−２による位置登録がなされる。
【００２２】
図８は、電源が投入された状態で１つのソケット２０−２からＵＳＩＭ−２カード１００−２を抜いた場合のシーケンス例を示している。ソケット２０−２からＵＳＩＭ−２カード１００−２が抜かれると（処理Ｓ１２−２）、ＩＣカード着脱検出部１０１−Ａは、割り込み処理によるＩＣカードの着脱ステータスレジスタを参照することで、ＵＳＩＭ−２カード１００−２が抜かれたことを検出する（処理Ｓ１３−２）。ＩＣカード着脱検出部１０１−Ａは、この検出結果を発着信制御部１０２−Ｅに通知し（処理Ｓ１４−２）、通知を受けた発着信制御部１０２−Ｅは、以降ＵＳＩＭ−２カード１００−２を用いた発着信処理を禁止することとなる。
【００２３】
上述したいずれのシーケンス例においても、処理の対象となるソケット番号に挿入されたＵＳＩＭカードを識別して必要な情報を入手し、そのソケット番号に挿入されたＵＳＩＭカードに対応した位置登録に関する処理を実行している。
【００２４】
図９は、図４から図７のシーケンスで示すように複数のＵＳＩＭカードによる位置登録が完了した後、着信動作が開始されるシーケンス例を示している。携帯端末では、ページングチャネルを監視することで自端末への着信かどうかを判別している。自端末への着信と識別される場合（処理Ｓ２０−２）、どのＵＳＩＭカードに対するページングチャネルかを識別するために、受信したページングチャネル情報を発着信ＩＣカード検出部１０２−Ｃに送信する（処理Ｓ２１−２）。端末は、位置登録の際、既に端末に挿入されているＵＳＩＭカード毎のページングチャネルに関する情報を、ネットワーク側から通知されている。発着信ＩＣカード検出部１０２−Ｃは、発着信制御部１０２−Ｅからページングチャネルに関する情報を受信すると、保存してあるＵＳＩＭカード毎のページングチャネル情報を用いることで、どのＵＳＩＭカードに対する着信動作か判別する（処理Ｓ２２−２）。判別の結果、該当しているＵＳＩＭ−２カードが挿入されているソケット番号を発着信制御部１０２−Ｅに返送する（処理Ｓ２３−２）。発着信制御部１０２−Ｅは、受け取ったソケット番号を用いて、発着信情報取得部１０２−Ｄに対して、着信に必要な情報の読み書きの命令と対象となるＵＳＩＭカードが挿入されているソケット番号を通知する（処理Ｓ２４−２）。読み書き命令と対象となるＵＳＩＭカードが挿入されているソケット番号を受け取った発着信情報取得部１０２−Ｄは、対象となるＵＳＩＭ−２カードに対してデータの読み書きの処理を実行する（処理Ｓ２５−２）。この読み書きが終了すると、ＵＳＩＭカードから発着信情報取得部１０２−Ｄに応答が返されることとなる（処理Ｓ２６−２）。
【００２５】
図１０は、発信動作を行う場合のシーケンスを示している。ここで、ユーザによるキー操作で、液晶画面から発信に使用するＵＳＩＭカードを選択できるものとする。ユーザ操作によりＵＳＩＭ−２カード１００−２を使用して発信処理のイベントが発生すると、発着信制御部１０２−Ｅは、そのイベントを認識し（処理Ｓ３０−２）、対応するＵＳＩＭ−２カード１００−２に対する発信情報の読み書き要求を送出する（処理Ｓ３１−２）。発着信情報取得部１０２−Ｄは、発信情報の読み書き要求を受信すると、対応するＵＳＩＭ−２に対して発信処理に必要な情報の読み書きを実行する（処理Ｓ３２−２）。発着信情報取得部１０２−Ｄは、対応するＵＳＩＭ−２カード１００−２から発信処理に必要な情報を読み出すと、その情報を発着信制御部１０２−Ｅに通知し（処理Ｓ３４−２）、発着信制御部１０２−Ｅは、通知された情報を用いて発信処理を実行する（処理Ｓ３５−２）。
【００２６】
図１１は、複数ＵＳＩＭカードが携帯端末１０Ａ、１０Ｂに挿入されている場合の利用例を示している。ＩＭＴ−２０００の規格では、どの国でも同一の端末１０Ａ、１０Ｂの使用が可能なので、日本国内で購入した携帯端末１０Ａ、１０Ｂを海外に持ち出すことが出来る。例えば、海外旅行先の国で、一緒に来た友人と連絡を取るために渡航先の国（図示の例では、韓国）でＵＳＩＭカードを契約したとすると、自分の携帯端末１０Ａ、１０Ｂには、従来から使用している日本で契約したＵＳＩＭ−ＡＪカード、ＵＳＩＭ−ＢＪカードに加え、渡航先で契約したＵＳＩＭカードの２枚が挿入されることとなる。図１１に示す様に、韓国で新たにＵＳＩＭの契約をした場合を考える。端末１０Ａ、１０Ｂの所有者は、日本で契約したＵＳＩＭ−ＡＪカード、ＵＳＩＭ−ＢＪカードをそれぞれ所有しているが、韓国で新たに端末１０Ａの所有者はＵＳＩＭ−ＡＫカード、端末Ｂの所有者は、ＵＳＩＭ−ＢＫカードを契約したとする。端末１０Ａの所有者が端末１０Ｂの所有者に発信する場合、ＵＳＩＭ−ＢＪカードに発信したとすると、ＵＳＩＭ−ＢＪカードの契約国（＝日本）にあるホームロケーションレジスタ４０を経由して国際ローミングすることになり（経路▲１▼）、同じ韓国内にいる端末に対して発信しているのに国際電話となるため通話料金が高くなる。一方端末１０Ａの所有者が端末１０Ｂの所有者のＵＳＩＭ−ＢＫカードに発信したとするとＵＳＩＭ−ＢＫカードの契約国（＝韓国）にあるホームロケーションレジスタ４２を経由するが、国際電話の必要が無いため、通話料金が安く済む。この様に、通話料金を軽減するために渡航先の国でＵＳＩＭカードを契約し、発信する際に使用するＵＳＩＭカードを選択することはユーザの便宜に資する点において有効である。もし、１枚ＵＳＩＭカードしか携帯端末１０に挿入できなければ、海外旅行中は渡航先で契約したＵＳＩＭカードを挿入して、一緒に来ている友人と連絡を取ることは可能であるが、その場合は従来から使用している日本で契約したＵＳＩＭカード（ＵＳＩＭ−ＡＪカードやＵＳＩＭ−ＢＪカード）にかかってくる電話は着信不可能となる。
【００２７】
このように、状況に応じて契約国番号が異なるＵＳＩＭカードを使い分ける必要があるためは、複数のＵＳＩＭカードを用いた発信／着信は、ユーザの便宜に資する点において有効である。
【００２８】
図１２から図１５は、図１１を参照して説明したように複数ＵＳＩＭカードが挿入された場合において、位置登録／発信処理／着信処理の際に使用するＵＳＩＭカードを自動的に選択するシーケンスを示している。
【００２９】
図１２は、活性化するＵＳＩＭカードを切替えるシーケンス例を示している。携帯端末の電源が投入されると（処理Ｓ２）、ＩＣカード着脱検出部１０１−Ａは、ＩＣカードコントローラ２４−１、２４−２のＩＣカード着脱ステータスレジスタを参照することで、どのソケットにＵＳＩＭカードが挿入されているかを判別する（処理Ｓ３−１、Ｓ３−２）。このシーケンス例の場合、ソケット（＃１）とソケット（＃２）にＵＳＩＭカードが挿入されているので、ＩＣカード着脱検出部１０１−Ａは、ＵＳＩＭカードが挿入されているソケット番号＃１と＃２をＩＣカード活性化部１０１−Ｂに通知する（処理Ｓ４−１、Ｓ４−２）。ＩＣカード活性化部１０１−Ｂは、ＩＣカード着脱検出部１０１−Ａからソケット番号＃１と＃２にＵＳＩＭカードが挿入された通知を受け取ると、その番号を活性化ＩＣカード選択部１０１−Ｃに通知する（処理Ｓ４０−１、４０−２）。活性化ＩＣカード選択部１０１−Ｃは、既に設定されている活性化するＩＣカードの条件を判別し、条件に合うソケット番号に挿入されたＵＳＩＭカードに対してのみ活性化するようにＩＣカード活性化部１０１−Ｂに通知し（処理Ｓ４１−１）、活性化しないＵＳＩＭカードに対しはＩＣカード活性化部１０１−Ｂに活性化が不許可である旨の通知をする（処理Ｓ４１−２）。例えば、ＵＳＩＭカードを活性化するときの条件としては、今の時刻を認識することで、どのＵＳＩＭカードを活性化するか決定する。時刻を認識する例としては、時差が大きく異なる２つの国或いは領域にそれぞれ２つのＵＳＩＭカードが対応している場合が考えられる。このような場合、夜間時間帯は、ＵＳＩＭ−２カードが活性化され、また、昼間の時間帯は、ＵＳＩＭ−１カードが活性化されるような場合がある。また、条件としては、基地局から報知されている報知情報に含まれる国番号と、ＵＳＩＭカード内に含まれるＵＳＩＭカードを契約した国とを比較しどのＵＳＩＭカードを活性化するかが決定される。或いは、各ＵＳＩＭカードを使用した累積使用時間によりどのＵＳＩＭカードを活性化するかが決定される。累積使用時間の例としては、携帯端末所持者が韓国に滞在しているが、圧倒的に日本への通話が多い場合には、常に日本で契約したＵＳＩＭ−１カードが活性化されていることとなる。その他の条件としては、ユーザがキー入力で活性化するＵＳＩＭカード指定する場合がある。
【００３０】
ＵＳＩＭカードを活性化する旨の通知を受けたＩＣカード活性化部１０１−Ｂは、活性化の許可を受けたソケットに挿入されたＵＳＩＭカードのみを活性化する（処理Ｓ４２）。指定されたＵＳＩＭカードの活性化が完了すると、そのＵＳＩＭカードからＩＣカード活性化部１０１−Ｂに活性化が完了された通知（ＡＴＲ通知）がなされる。（処理Ｓ４３）
図１３は、既に活性化されている複数のＵＳＩＭカードを、条件、例えば、ユーザ入力或いは図１２を参照して説明したような条件により非活性化する場合の例である。ここで、ＵＳＩＭ−１カードとＵＳＩＭ−２カードは、活性化が完了しているとする（処理Ｓ５０）。活性化ＩＣカード選択部１０１−Ｃにより、あるＵＳＩＭカードを非活性する条件が成立した場合（処理Ｓ５１）、活性化ＩＣカード選択部１０１−Ｃは、非活性化するＵＳＩＭカード番号をＩＣカード活性化部１０１−Ｂに通知する（処理Ｓ５２）。通知を受けたＩＣカード活性化部１０１−Ｂは、該当するＩＣカードの非活性化を行う（処理Ｓ５３）。
【００３１】
図１４は、発信処理を許可するＵＳＩＭカードの切替えシーケンス例を示している。ＵＳＩＭ−１カード、ＵＳＩＭ−２カードともに位置登録完了した状態にあるものとする（処理Ｓ６０）。切替え条件が成立し、ＵＳＩＭ−１カードへの発着信に必要な情報の読み書きが禁止されたとすると（処理Ｓ６１）、アクセスＩＣカード選択部１０１−Ｃは、ＵＳＩＭ−１カードのアクセス禁止を発着信制御部１０２−Ｅに通知する。発着信制御部１０２−Ｅは、ＵＳＩＭ−１カードへのアクセス禁止通知を受け取ると、その情報を保持し、以降の発着信動作は、ＵＳＩＭ−１カードを使用して行わないようにする。ＵＳＩＭ−２カードを使用して発信処理を行うイベントが発生した場合のみ、ＵＳＩＭ−２カードにアクセスし（処理Ｓ６３）、発信処理に必要な情報を入手し（処理Ｓ６４、Ｓ６５）、発信処理を行う（処理Ｓ６６）。仮に、この状態でＵＳＩＭ−１カードを使用して発信処理を行うイベントが発生した場合には、例えば液晶に表示させるなどにより、発信操作者にＵＳＩＭ−１カードでの発信処理は無効である通知を行う。
【００３２】
図１５は、着信処理を許可するＵＳＩＭカードの切替えシーケンス例を示している。ＵＳＩＭ−１カード、ＵＳＩＭ−２カードともに位置登録完了の状態にあるものとする。切替え条件が成立し（処理６１）、ＵＳＩＭ−１カードへの発着信に必要な情報の読み書きが禁止されたとすると、アクセスＩＣカード選択部１０１−Ｃは、ＵＳＩＭ−１カードのアクセス禁止を発着信制御部１０２−Ｅに通知する（処理Ｓ６２）。発着信制御部１０２−Ｅは、ＵＳＩＭ−１カードへのアクセス禁止通知を受け取ると、その情報を保持し、以降の発着信動作は、ＵＳＩＭ−１を使用して行わないようにする（処理Ｓ７０、Ｓ７１）。発着信制御部１０２−Ｅは、基地局から報知されているページングチャネルを監視することで自局への着信かどうかを判断する（処理Ｓ６７）。自局への着信を判別したら、アクセスＩＣカード選択部１０１−Ｃから通知されて保存している着信処理の為にアクセス可能なＵＳＩＭカード情報を読出し、ページングチャネルに含まれる情報と比較する（処理Ｓ６８）。ページングチャネルに含まれる情報のＵＳＩＭカードが着信処理可能と判断した場合、対象となるＵＳＩＭ−２カードに対して着信処理のためのアクセスを行う（処理Ｓ６４、Ｓ６５）。これにより、ＵＳＩＭ−２カードによる呼の開設が行われる（処理Ｓ６９）。
【００３３】
図１６は、複数ＵＳＩＭカードを挿入して使用する携帯端末において発着信処理を自動的に切替える利用例を示している。端末１０Ｂの使用者は、日本で契約したＵＳＩＭ−Ｊカードと韓国で契約したＵＳＩＭ−Ｋカードの２つを持っているとする。端末１０Ｂの使用者は、基地局からの報知情報に含まれる国番号と同じ国番号を持つＵＳＩＭカードが挿入されている場合は、そのＵＳＩＭカードを用いて着信処理を行うように設定しているとする。この場合、端末１０Ｂの使用者が韓国に入国すると、基地局からの報知情報に含まれる国番号を受信することで、報知情報に含まれる国番号と同じ国番号を持つＵＩＳＭ−Ｋカードによる着信処理のみが可能となる。これは、通話料金の負担に対応するための処理である。つまり、端末Ａから端末Ｂへの着信があった場合、それが日本で契約したＵＳＩＭ−Ｊカードに対するものであるとすると、経路▲１▼で示すような端末１０ＡからＵＳＩＭ−Ｊカードのホームロケーションレジスタ４０までの通話料金は発信者負担だが、そこから先のＵＳＩＭ−Ｊカードのホームロケーションレジスタ４０から端末１０Ｂがいる韓国までの国際ローミング通話料金は、着信者負担となる。一方、ＵＳＩＭ−Ｋカードに対して着信があった場合、経路▲２▼で示すようにＵＳＩＭ−Ｋカードのホームロケーションレジスタ４２からの国際ローミングの必要がないので端末１０Ｂの所有者は着信料金を負担する必要がない。このように端末使用者が現在いる場所と同じ国番号を持つＵＳＩＭカードを用いた方が、着信する際に通話料金を負担する必要がないのである。着信してよいＵＳＩＭカードを自動的に選択することは通話料金の軽減に効果がある。
【００３４】
【発明の効果】
以上のように、アクセス対象のＵＳＩＭカードを携帯端末内の機能ブロックで認識し、各々のＵＳＩＭカードへ任意のタイミングで個別にアクセスすることで、複数枚のＵＳＩＭカードの使い分けを可能となり、１台の携帯端末で使える電話番号の組合せが任意に変更可能となり、また通話料金の軽減に役立つなどの利点がある。
【図面の簡単な説明】
【図１】携帯電話間における国際ローミングの例概略的に示す説明図である
【図２】この発明の一実施の形態に係るＵＳＩＭカードを着脱可能な形態端末の機能を示すブロック図である。
【図３】図２に示した機能ブロックをより詳細に示す形態端末の機能を示すブロック図である。
【図４】図２及び図３に示した携帯端末において、その複数のソケットの１つにＵＳＩＭカードが挿入された際の制御方式を概略的に示すシーケンス図である。
【図５】図２及び図３に示した携帯端末において、その複数のソケットのそれぞれにＵＳＩＭカードが挿入された際の他の制御方式を概略的に示すシーケンス図である。
【図６】図２及び図３に示した携帯端末において、その複数のソケットにそれぞれＵＳＩＭカードが挿入された際の他の制御方式を概略的に示すシーケンス図である。
【図７】図２及び図３に示した携帯端末において、その複数のソケットの１つにＵＳＩＭカードが挿入された後、更に他のＵＳＩＭカードがソケットに装着された際の制御方式を概略的に示すシーケンス図である。
【図８】図２及び図３に示した携帯端末において、その複数のソケットにそれぞれＵＳＩＭカードが挿入された後にその１つのＵＳＩＭカードを抜き出す際の制御方式を概略的に示すシーケンス図である。
【図９】図２及び図３に示した携帯端末において、その複数のソケットにそれぞれＵＳＩＭカードが挿入され、位置登録が完了された後における着信処理を示すシーケンス図である。
【図１０】図２及び図３に示した携帯端末において、その複数のソケットにそれぞれＵＳＩＭカードが挿入され、位置登録が完了された後における発信処理を示すシーケンス図である。
【図１１】図２及び図３に示した複数ＵＳＩＭカードが挿入された携帯端末の利用例を示す説明図である。
【図１２】図２及び図３に示した携帯端末において、その複数のソケットにそれぞれＵＳＩＭカードが挿入された後にその１つのＵＳＩＭカードを活性化する処理を示すシーケンス図である。
【図１３】図２及び図３に示した携帯端末において、その複数のソケットにそれぞれＵＳＩＭカードが挿入され、それぞれが活性化された後にその１つのＵＳＩＭカードを非活性化する処理を示すシーケンス図である。
【図１４】図２及び図３に示した携帯端末において、その複数のソケットにそれぞれＵＳＩＭカードが挿入され、位置登録が完了された後にＵＳＩＭカードに対して選択的に発信処理を許可する選択的発信処理を示すシーケンス図である。
【図１５】図２及び図３に示した携帯端末において、その複数のソケットにそれぞれＵＳＩＭカードが挿入され、位置登録が完了された後にＵＳＩＭカードに対して選択的に着信処理を許可する選択的着信処理を示すシーケンス図である。
【図１６】図２及び図３に示した携帯端末において、複数ＵＳＩＭカードを自動的に切替えて発着信する例を示す説明図である。
【符号の説明】
１０．．．携帯端末
２０−１、２０−２．．．ソケット
２４−１、２４−２．．．ＩＣカードコントローラ
１００．．．ＵＳＩＭカード
１０１．．．ＵＳＩＭコントローラ
１０１−Ａ．．．ＩＣカード着脱検出部
１０１−Ｂ．．．ＩＣカード活性化部
１０１−Ｃ．．．ＩＣカード選択部
１０２．．．無線制御部
１０２−Ａ．．．位置登録情報取得部
１０２−Ｂ．．．位置登録制御部
１０２−Ｃ．．．発着信ＩＣカード検出部
１０２−Ｄ．．．発着信情報取得部
１０２−Ｅ．．．発着信制御部
１０３．．．ハードウェア制御部（ＨＷＣ）
１０４．．．無線部（ＲＦ）
【図１】
0003576977.tif 000002
【図２】
0003576977.tif 000003
【図３】
0003576977.tif 000004
【図４】
0003576977.tif 000005
【図５】
0003576977.tif 000006
【図６】
0003576977.tif 000007
【図７】
0003576977.tif 000008
【図８】
0003576977.tif 000009
【図９】
0003576977.tif 000010
【図１０】
0003576977.tif 000011
【図１１】
0003576977.tif 000012
【図１２】
0003576977.tif 000013
【図１３】
0003576977.tif 000014
【図１４】
0003576977.tif 000015
【図１５】
0003576977.tif 000016
【図１６】
0003576977.tif 000017